(57)【要約】【課題】  プリント終了後のデジタルプリント装置から記録メディアの抜き取り忘れを防止することを課題とする。【解決手段】  メディアドライブ２０に記録メディア２１が装填されているとき、プリント取出口５２のカバー５８をロックして、プリント取出口５２内のプリントＰの取り出しができないようにすることで、ユーザがメディアドライブ２０に記録メディア２１を装填したまま、プリントＰだけを取り出して去ってしまうことが防止できる。つまり、記録メディア２１の抜き取り忘れが防止できる。【選択図】    図５
2007083504.tif 000002
【特許請求の範囲】
【請求項１】
装填部に装填された記録媒体に記録された情報を読み取ってプリントするデジタルプリント装置において、
前記記録媒体から読み取った情報がプリントされた印刷物が排出される排出部と、
前記排出部に排出された前記印刷物の取り出しを阻止する取出阻止手段と、
前記装填部から前記記録媒体が抜き取られたか否かを検出する記録媒体検出手段と、
前記記録媒体検出手段で前記記録媒体の抜き取りが検出されると、前記取出阻止手段による取り出し阻止を解除する制御手段と、
を備えていることを特徴とするデジタルプリント装置。
【請求項２】
前記取出阻止手段は、前記排出部の取出口を開閉する開閉部材をロックするロック手段であることを特徴とする請求項１に記載のデジタルプリント装置。
【請求項３】
前記開閉部材は、前記排出部内を外部から視認可能な部材で形成されていることを特徴とする請求項１又は請求項２に記載のデジタルプリント装置。
【請求項４】
前記ロック手段は、前記記録媒体の情報をプリントするプリントモードを選択したタイミングで前記開閉部材をロックすることを特徴とする請求項２又は請求項３に記載のデジタルプリント装置。
【請求項５】
前記ロック手段は、前記記録媒体を前記装填部に装填したタイミングで前記開閉部材をロックすることを特徴とする請求項２又は請求項３に記載のデジタルプリント装置。
【請求項６】
前記ロック手段は、プリントスタートボタンをオンしたタイミングで前記開閉部材をロックすることを特徴とする請求項２又は請求項３に記載のデジタルプリント装置。
【請求項７】
前記ロック手段は、前記記録媒体へアクセス開始されたタイミングで前記開閉部材をロックすることを特徴とする請求項２又は請求項３に記載のデジタルプリント装置。
【請求項８】
前記ロック手段は、プリント開始のタイミングで前記開閉部材をロックすることを特徴とする請求項２又は請求項３に記載のデジタルプリント装置。
【請求項９】
前記排出部へ排出される印刷物を検知する第１検知手段を備え、前記ロック手段は、前記第１検知手段によって前記排出部に最初の印刷物が排出されたことを検知すると、前記開閉部材をロックすることを特徴とする請求項２又は請求項３に記載のデジタルプリント装置。
【請求項１０】
前記排出部は、印刷物の有無を検知する第２検知手段を備え、前記ロック手段は、前記第２検知手段によって前記排出部に印刷物が有るのを検知すると、前記開閉部材をロックすることを特徴とする請求項２又は請求項３に記載のデジタルプリント装置。
【請求項１１】
前記ロック手段は、プリントを行わないときには前記ロック手段のロックを解除していることを特徴とする請求項２〜請求項１０のいずれか１項に記載のデジタルプリント装置。
【請求項１２】
前記装填部から前記記録媒体が抜き取られた後、前記第２検知手段で前記排出部に印刷物があるのを検知すると、警告を発する警告手段が設けられていることを特徴とする請求項１１に記載のデジタルプリント装置。
【請求項１３】
前記警告手段は、前記記録媒体の抜き取り後、前記第２検知手段で前記排出部に印刷物が有るのを検知してから所定時間経過すると警告を発することを特徴とする請求項１２に記載のデジタルプリント装置。
【発明の詳細な説明】
【技術分野】
【０００１】
本発明は、デジタルカメラ等で撮影した画像が格納された記憶媒体等から読み出した画像データを、プリントするデジタルプリント装置に関する。
【背景技術】
【０００２】
コンビニエンスストア等に設置され、ユーザがデジタルカメラで撮影した写真の画像データ等が記録された記録媒体（スマートメディア（登録商標）等の記録メディア）から、この画像データを読み出してプリントするデジタルプリント装置が知られている。
【０００３】
このデジタルプリント装置を利用する場合、ユーザは持ち込んだ記録メディアをデジタルプリント装置のメディアドライブに装填して、操作画面上に表示された表示に従ってに必要な一連の操作を行ってプリントを実行する。
【０００４】
このとき、プリント終了後に、デジタルプリント装置のメディアドライブから記録メディアを抜き取るのを忘れて、装填した状態のまま立ち去るケースがある。そこで、記録メディアの抜き取り忘れを防止するために、記録メディアの画像データを読み込んだ後、記録メディアをデジタルプリント装置から抜き取るように促すメッセージを通知（表示画面上に表示）するものがある（特許文献１参照）。
【０００５】
しかし、ユーザ側は印刷物に気を取られていることがあり、記録メディアを抜き取るように促すメッセージに気がつかないことがある。特に、デジタルカメラで撮った写真をプリントする際には、ユーザはどのような写真が出てくるかということに意識が集中してしまうことがあり、記録メディアを抜き取るよう通知するだけでは、完全に記録メディアの抜き取り忘れを防止することができないと予想される。
【特許文献１】特開２００４−２８０４１７号公報
【発明の開示】
【発明が解決しようとする課題】
【０００６】
本発明は上記問題を考慮し、プリント終了後のデジタルプリント装置から記録メディアの抜き取り忘れを防止することを目的とする。
【課題を解決するための手段】
【０００７】
請求項１に記載の本発明は、装填部に装填された記録媒体に記録された情報を読み取ってプリントするデジタルプリント装置において、前記記録媒体から読み取った情報がプリントされた印刷物が排出される排出部と、前記排出部に排出された前記印刷物の取り出しを阻止する取出阻止手段と、前記装填部から前記記録媒体が抜き取られたか否かを検出する記録媒体検出手段と、前記記録媒体検出手段で前記記録媒体の抜き取りが検出されると、前記取出阻止手段による取り出し阻止を解除する制御手段と、を備えていることを特徴としている。
【０００８】
請求項１に記載の発明によれば、取出阻止手段によって、排出部に排出された印刷物の取り出しが阻止されており、記録媒体検出手段が装填部から記録媒体が抜き取られたのを検出すると、制御手段によって、取出阻止手段の取り出し阻止が解除される。
【０００９】
つまり、装填部から記録媒体を抜き取らないと、印刷物が排出部に排出されても、この印刷物を排出部から取り出すことができない。これにより、ユーザが装填部から記録媒体を抜き取るのを忘れて、印刷物だけを取り出して去ってしまうことが防止できる。
【００１０】
請求項２に記載の本発明は、前記取出阻止手段は、前記排出部の取出口を開閉する開閉部材をロックするロック手段であることを特徴としている。
【００１１】
請求項２に記載の発明によれば、排出部に排出された印刷物が取り出される取出口には、開閉部材が開閉可能な状態で設けられており、ロック手段によって開閉部材はロックされるようになっている。これにより、記録媒体を装填部から抜き取らないと、開口部はロックされたままとなり、排出部の印刷物を取り出すことができない。
【００１２】
請求項３に記載の本発明は、前記開閉部材は、前記排出部内を外部から視認可能な部材で形成されていることを特徴としている。
【００１３】
請求項３に記載の発明によれば、排出部の状態を外部から視認可能とされた部材で開閉部材を形成することで、排出部に印刷物が排出されたかどうかを、開閉部材を介して外部から確認することができる。
【００１４】
請求項４に記載の本発明は、前記ロック手段は、前記記録媒体の情報をプリントするプリントモードを選択したタイミングで前記開閉部材をロックすることを特徴としている。
【００１５】
請求項４に記載の発明によれば、記録媒体の情報をプリントするプリントモードを選択したタイミングで、ロック手段によって開閉部材がロックされる。つまり、デジタルプリント装置で形成する画像の種類、例えば、デジタルカメラのプリント等のプリントモードを選択した時点で、排出部に排出された印刷物の取り出しが阻止される。
【００１６】
請求項５に記載の本発明は、前記ロック手段は、前記記録媒体を前記装填部に装填したタイミングで前記開閉部材をロックすることを特徴としている。
【００１７】
請求項５に記載の発明によれば、記録媒体を装填部に装填したタイミングで、ロック手段によって開閉部材がロックされる。つまり、請求項４よりも遅いタイミングで開閉部材がロックされるので、プリントモードを選択した時点でプリントを中止したときに、開閉部材がロックされていない。このため、請求項４のプリントモードを選択したタイミングで開閉部材をロックする場合と比較して、必要以上にロック手段が動作しない。
【００１８】
請求項６に記載の本発明は、前記ロック手段は、プリントスタートボタンをオンしたタイミングで前記開閉部材をロックすることを特徴としている。
【００１９】
請求項６に記載の発明によれば、プリントスタートボタンをオンしたタイミングロック手段によって開閉部材がロックされる。つまり、請求項５よりも遅いタイミングで開閉部材がロックされるので、記録媒体を装填部に装填した時点でプリントを中止したときに、開閉部材がロックされていない。このため、請求項５の記録媒体を装填部に装填したタイミングで開閉部材をロックする場合と比較して、必要以上にロック手段が動作しない。
【００２０】
請求項７に記載の本発明は、前記ロック手段は、前記記録媒体へアクセス開始されたタイミングで前記開閉部材をロックすることを特徴としている。
【００２１】
請求項７に記載の発明によれば、記録媒体の記録にアクセスされたタイミングで、ロック手段によって開閉部材がロックされる。つまり、請求項６よりも遅いタイミングで開閉部材がロックされるので、プリントスタートボタンをオンした時点でプリントを中止したときに、開閉部材がロックされていない。これにより、請求項６のプリントスタートボタンをオンしたタイミングで開閉部材をロックする場合と比較して、必要以上にロック手段が動作しない。
【００２２】
請求項８に記載の本発明は、前記ロック手段は、プリント開始のタイミングで前記開閉部材をロックすることを特徴としている。
【００２３】
請求項８に記載の発明によれば、プリント開始のタイミングで、ロック手段によって開閉部材がロックされる。つまり、請求項７よりも遅いタイミングで開閉部材がロックされるので、記録媒体の記録にアクセスされた時点でプリントを中止したときに、開閉部材がロックされていない。これにより、請求項７の記録媒体の記録にアクセスされたタイミングで開閉部材をロックする場合と比較して、必要以上にロック手段が動作しない。
【００２４】
請求項９に記載の本発明は、前記排出部へ排出される印刷物を検知する第１検知手段を備え、前記ロック手段は、前記第１検知手段によって前記排出部に最初の印刷物が排出されたことを検知すると、前記開閉部材をロックすることを特徴としている。
【００２５】
請求項９に記載の発明によれば、第１検知手段によって、排出部に印刷物が排出されたのが検知される。そして、最初の印刷物が排出部に排出されるタイミングで、ロック手段によって開閉部材がロックされる。これにより、請求項８よりも遅いタイミングで開閉部材がロックされるので、プリント開始の時点でプリントを中止したときに、開閉部材がロックされていないため、請求項８のプリント開始のタイミングで開閉部材をロックする場合と比較して、必要以上にロック手段が動作しない。
【００２６】
請求項１０に記載の本発明は、前記排出部は、印刷物の有無を検知する第２検知手段を備え、前記ロック手段は、前記第２検知手段によって前記排出部に印刷物が有るのを検知すると、前記開閉部材をロックすることを特徴としている。
【００２７】
請求項１０に記載の発明によれば、第２検知手段によって、排出部に印刷物が有るのを検知すると、ロック手段によって開閉部材がロックされる。つまり、請求項９よりも遅いタイミングで開閉部材がロックされるので、排出部に印刷物が排出されたのが検知される前にプリントを中止したときに、開閉部材がロックされていない。これにより、請求項９の排出部に印刷物が排出されたのが検知されるタイミングで開閉部材をロックする場合と比較して、必要以上にロック手段が動作しない。
【００２８】
請求項１１に記載の本発明は、前記ロック手段は、プリントを行わないときには前記ロック手段のロックを解除していることを特徴としている。
【００２９】
請求項１１に記載の発明によれば、プリントを行わないときには、ロック手段のロックを解除することで、開閉部材に物がぶつかったりして外側から押圧力がかかったとき、開閉部材が破損するのを防止できる。
【００３０】
請求項１２に記載の本発明は、前記装填部から前記記録媒体が抜き取られた後、前記第２検知手段で前記排出部に印刷物があるのを検知すると、警告を発する警告手段が設けられていることを特徴としている。
【００３１】
請求項１２に記載の発明によれば、装填部から記録媒体が抜き取られた後、排出部に印刷物が存在している場合には、警告手段によって警告される。これにより、記録媒体の抜き取り忘れを防止すると共に、ユーザに印刷物の取り出し忘れが促される。
【００３２】
請求項１３に記載の本発明は、前記警告手段は、前記記録媒体の抜き取り後、前記第２検知手段で前記排出部に印刷物が有るのを検知してから所定時間経過すると警告を発することを特徴としている。
【００３３】
請求項１３に記載の発明によれば、記録媒体の抜き取り後、排出部に印刷物が有るのを検知してから所定時間経過すると、警告手段によって警告が発せられる。これにより、記録媒体を装填部から抜き取った後、すぐに排出部から印刷物を取り出さなくても警告が発せられないので、頻繁に警告が発せられることがない。
【発明の効果】
【００３４】
本発明は上記構成としたので、プリント終了後のデジタルプリント装置から記録メディアの抜き取り忘れを防止することができる。
【発明を実施するための最良の形態】
【００３５】
図１には、本発明の第１の実施形態に係るデジタルプリント装置１０の外観図が示されている。
【００３６】
デジタルプリント装置１０は、コピー、プリンタ、及びＦＡＸ機能を備えた画像出力装置部（所謂複合機）１２と、液晶表示板からなる表示パネル上にタッチパネルが重ねられて構成されたユーザインタフェース操作部（ＵＩ操作部）１４を備えたパソコン（ＰＣ）１６と、投入された金額に応じた枚数のコピー／プリントを許可するための課金装置１８とを備えている。
【００３７】
ＰＣ１６は、装填された記録メディア２１に対してデータを読み書きするメディアドライブ２０を有している。図２に示すように、メディアドライブ２０は、記録メディア２１としてのコンパクトフラッシュ（登録商標）（Compact Flash）２２が着脱されるスロット２４、メモリスティック（登録商標）２６が着脱されるスロット２８、ｘＤピクチャカード（登録商標）３０が着脱されるスロット３２、スマートメディア（登録商標）３４が着脱されるスロット３６、ＳＤ（Secure Digital）カード３８が着脱されるスロット４０及びＣＤ−ＲＯＭ４２が載置されるディスクトレイ４４を備えている。
【００３８】
図３に示すように、メディアドライブ２０の各スロット２４、２８、３２、３６、４０及びディスクトレイ４４には、記録メディア検出センサ２３が設置されている。記録メディア検出センサ２３はプリント取出口制御部７２に接続されており、記録メディア検出センサ２３によってメディアドライブ２０に装填した記録メディア２１が、メディアドライブ２０から抜き取られたか否かが検知されて、プリント取出口制御部７２で後述するプリント取出口５２のカバー５８のロックが制御されるようになっている。
【００３９】
メディアドライブ２０に装填された記録メディア２１から読み取ったメディアデータは、制御部４８を介してＵＩ操作部１４に表示される。このＵＩ操作部１４には、記録メディア２１から読み取ったメディアデータをプリントする際に必要な一連の操作（プリントする画像データの選択、プリント枚数の入力、編集指示、プリント開始等）も表示されるようになっている。
【００４０】
一方、制御部４８には、課金装置１８が接続されている。課金装置１８は、投入口５０（図１参照）からの投入金額に応じて、制御部４８を介して後述するプリント部４６での画像出力を許可し、プリント部４６で許可した画像出力が行われた場合には、画像出力の形態に応じた料金を課金すると共に、投入金額から料金を差し引いた残金を、図示しない表示部に表示する。
【００４１】
一方、画像出力装置１２は、プリント部４６を有している。プリント部４６は、感光体、露光部、現像部及び定着搬送部などの機構を含んで構成されており、ＰＣ１６から入力された記録メディア２１のメディアデータ（記録メディア２１から読み取った画像データ）に基づいて画像を形成する。すなわち、プリント部４６は入力された画像データに基づいて感光体上に静電潜像を形成し、形成した静電潜像をモノクロトナーまたはカラートナーを用いて現像し、現像した画像を記録媒体である記録紙に転写する。
【００４２】
また、図１に示すように、画像出力装置１２にはプリント取出口５２が設けられており、プリント部４６で画像が記録された記録紙（プリント）が、このプリント取出口５２に排出されるようになっている。
【００４３】
図４には、プリント取出口５２の断面図が示されている。図４に示すように、プリント取出口５２は、画像出力装置１２を構成する筐体５４に形成された開口部５６を有しており、開口部５６からプリント取出口５２内に排出されたプリントＰにアクセスできるようになっている。
【００４４】
開口部５６には、開口部５６とほぼ同じサイズのカバー５８が設けられている。カバー５８の一方の端部には、ピン５９が設けられており、ピン５９が開口部５６を構成する壁部に支持されている（図１参照）。これにより、カバー５８は、一方の端部を中心に回動可能な構成とされている。
【００４５】
プリント取出口５２の天井部５２Ａとカバー５８の一方の端部近傍との間には、トーションバネ６０が設けられている。トーションバネ６０は、一端がプリント取出口５２の天井部５２Ａに設けられた凹部６２に係止されており、他端がカバー５８のプリント取出口５２に対向する面に設けられた凹部６４に係止されている。これにより、トーションバネ６０の付勢力によって、カバー５８は矢印Ａ方向と反対方向に付勢されている。
【００４６】
カバー５８は、外部からの押圧力を受けていないときは、図４の二点鎖線で示すように、他端部が開口部５６の下端近傍に位置している。つまり、通常時は、プリント取出口５２は、カバー５８によって閉塞された状態となっている。
【００４７】
また、カバー５８は透明部材で形成されている。これにより、プリント取出口５２内の様子が外部から確認することができるようになっている。
【００４８】
プリント取出口５２の底面５２Ｂの開口部５６付近には、孔６６が形成されている。この孔６６には、画像出力装置１２内に設けられたソレノイド６８の可動鉄心７０が挿通されている。ソレノイド６８はプリント取出口制御部７２に接続されており、プリント取出口制御部７２からの信号によってソレノイド６８に通電されると、可動鉄心７０が突出するようになっている。
【００４９】
ソレノイド６８に通電されて可動鉄心７０が孔６６を介してプリント取出口５２に突出すると、カバー５８の他端が可動鉄心７０に当接して、カバー５８の矢印Ａ方向の回動が阻止される。つまり、ソレノイド６８に通電されることにより、カバー５８の回動がロックされた状態となり、外部からカバー５８を押圧しても、カバー５８はプリント取出口５２を閉塞した状態から動かないので、ユーザはプリント取出口５２内にアクセスすることができない構成となっている。
【００５０】
ソレノイド６８への通電が停止すると、図示しないコイルばねにより、可動鉄心７０が引き込まれる。これにより、カバー５８のロックが解除され、カバー５８を外部から押圧すると、カバー５８は一端部を支点として矢印Ａ方向に回動する。これにより、外部からプリント取出口５２内へのアクセスが可能となる。
【００５１】
プリント取出口５２の底面５２Ｂには、プリント取出口５２内のプリントの有無を光学的に検出するセンサ７４が設けられている。センサ７４はプリント取出口制御部７２に接続されており、センサ７４でプリント取出口５２内にプリントが有るのを検知して、プリント取出口制御部７２でプリント取出口５２のカバー５８がロックされるようになっている。
【００５２】
プリント取出口制御部７２には、スピーカー７６が接続されている。記録メディア検出センサ２３で、メディアドライブ２０から記録メディア２１が抜き取られたのを検知してから所定時間経過した後、センサ７４によってプリント取出口５２からプリントＰが取り出されていないのを検知すると、スピーカー７６から警告音が出力されるようになっている。
【００５３】
また、プリント取出口５２の側壁５２Ｃには、用紙検出センサ８０が設置されている。用紙検出センサ８０はプリント取出口制御部７２に接続されており、用紙検出センサ８０によってプリント取出口５２にプリントＰが排出されたのが検知されると、プリント取出口制御部７２でプリント取出口５２のカバー５８がロックされるようになっている。
【００５４】
次に、本発明の第１の実施形態の作用について説明する。図５には、デジタルプリント装置１０の動作のフローチャートが示されている。
【００５５】
まず、ステップ１００で、ユーザは、課金装置１８の投入口５０にコインを投入し、ＵＩ操作部１４に表示されている、”コピー”、”プリント”、”デジタルカメラプリント”等のメニュー画面から、画像を出力したい形態として、”デジタルカメラプリント”を選択する。
【００５６】
出力形態として”デジタルカメラプリント”が選択されると、ステップ１０２へ進む。ステップ１０２では、ソレノイド６８に通電して可動鉄心７０が突出し、プリント取出口５２のカバー５８がロックされる。これにより、ユーザは、プリント取出口５２内にアクセス不可能となる。
【００５７】
次に、ステップ１０４で、ユーザは該当する記録メディア２１をメディアドライブ２０の所定のスロット又はディスクトレイに装填し、ステップ１０６で、ＵＩ操作部１４に表示されたプリントスタートボタンをＯＮして、プリント操作を開始する。そして、ステップ１０８で記録メディア２１に記録されているメディアデータが、メディアドライブ２０によって読み込まれる。
【００５８】
次のステップ１１０では、メディアドライブ２０によって記録メディア２１のメディアデータの読み込みが終了したか否かが判断される。メディアデータの読み込みが終了していない場合には、ステップ１０８へ戻り、メディアデータの読み込みが終了していれば、ステップ１１２に進む。
【００５９】
ステップ１１２では、ＵＩ操作部１４にメディアデータの画像データが複数枚ずつ表示され、ユーザは、その画像データの中から、プリントしたい画像データを選択する。
【００６０】
次のステップ１１４では、プリントする画像データが選択されたか否かが判断される。画像データが選択されていない場合には、ステップ１１２に戻る。一方、画像データが選択されていれば、ステップ１１６に進む。
【００６１】
ステップ１１６では、ユーザがＵＩ操作部１４で、編集形態やプリント部数等を指示する。そして、ステップ１１８でプリントが開始される。
【００６２】
次のステップ１２０では、用紙検出センサ８０によって、ユーザがプリントを指定した全てのプリントＰがプリント取出口５２に排出されたことを検知することにより、画像データのプリントが終了したか否かが判断される。画像データのプリントが終了していない場合には、ステップ１２０に戻り、プリントＰのプリントが終了していれば、ステップ１２２に進む。
【００６３】
ステップ１２２では、メディアドライブ２０からの記録メディア２１の抜き取りを促す文字等を、ＵＩ操作部１４に表示する。そして、ステップ１２４で、記録メディア検出センサ２３によって、メディアドライブ２０から記録メディア２１が抜き取られたか否かが判断される。メディアドライブ２０から記録メディア２１が抜き取られていない場合には、ステップ１２４に戻る。一方、メディアドライブ２０からの記録メディア２１の抜き取りが完了していれば、ステップ１２６に進む。
【００６４】
ステップ１２６では、ソレノイド６８の通電が停止して、可動鉄心７０が引き込まれて、プリント取出口５２のカバー５８のロックが解除される。これにより、ユーザはプリント取出口５２内のプリントＰにアクセスすることが可能となる。
【００６５】
そして、次のステップ１２８では、プリント取出口５２の底面５２Ｂに設けられたセンサ７４の検知によって、プリント取出口５２からプリントＰが取り出されたか否かが判断される。メディアドライブ２０から記録メディア２１を抜き取って所定時間経過しても、プリント取出口５２内のプリントＰが取り出されていないのを検知されると、スピーカー７６から警告音を出力してユーザにプリントＰの取り出しを促す。そして、ステップ１２８へ戻る。一方、プリント取出口５２からプリントＰが取り出されていれば、一連の動作が終了する。
【００６６】
以上説明したように、メディアドライブ２０に記録メディア２１が装填されているとき、プリント取出口５２のカバー５８をロックして、プリント取出口５２内のプリントＰの取り出しができないようにすることで、ユーザがメディアドライブ２０に記録メディア２１を装填したまま、プリントＰだけを取り出して去ってしまうことが防止できる。つまり、記録メディア２１の抜き取り忘れが防止できる。
【００６７】
また、プリントを行わないときには、カバー５８のロックは解除された状態にある。これにより、ユーザがプリント取出口５２にプリントＰがあるか否かを確認しようとして、カバー５８を押してプリント取出口５２内に手を挿入しようとしたときに、カバー５８が破損することがない。
【００６８】
さらに、ユーザがメディアドライブ２０から記録メディア２１を抜き取ってから所定時間経過した後に、プリント取出口５２からプリントＰが取り出されていない場合には、スピーカー７６から警告音を出力して、ユーザにプリントＰの取り出しが促される。これにより、記録メディア２１だけでなく、プリントＰの取り出し忘れも防止されるようになっている。また、記録メディア２１の抜き取り後、所定時間経過してから警告音を出力する構成とすることで、例えば、ユーザが記録メディア２１をメディアドライブ２０から抜き取って、カバン等に収納してからプリントＰを取り出そうとするような場合、つまり、記録メディア２１の抜き取り後すぐにプリントＰを取り出さない場合に、警告音が出力されてしまうことがない。したがって、頻繁に警告音が発せられることがない。
【００６９】
なお、本実施形態では、プリントＰの取り出し忘れ防止として、スピーカー７６から警告音を出力する構成としたが、ＵＩ操作部１４にプリントＰの取り出しを促すメッセージを表示してもよい。また、警告音を出力すると同時にメッセージを表示すれば、プリントＰの取り出し忘れ防止効果が高まる。
【００７０】
また、本実施形態では、プリント取出口５２に設けたカバー５８を、透明部材で形成する構成としたが、プリント取出口５２内部を確認することができれば、カバーは必ずしも透明部材で形成する必要はなく、例えば、荒い網目状としたり、板状部材に複数の孔を設けた構成としてもよい。
【００７１】
さらに、本実施形態では、プリント取出口５２にカバー５８を設けて、このカバー５８の回動をロックすることで、メディアドライブ２０から記録メディア２１を抜き取らないとプリント取出口５２内のプリントＰを取り出せない構成としたが、プリント取出口５２内部に、例えばプリントＰを挟持する挟持部材を設けて、メディアドライブ２０から記録メディア２１を抜き取らないと、プリントＰは挟持部材によって挟持されて、プリント取出口５２から取り出せないようにしてもよい。このように、プリント取出口５２からプリントＰを取り出せないようにロックする構成として、種々の形態を用いることができる。
【００７２】
次に、本発明の第２の実施形態に係るデジタルプリント装置について説明する。なお、第１の実施形態と同様の部分についての説明は割愛する。
【００７３】
図６には、第２の実施形態のデジタルプリント装置の動作のフローチャートが示されている。
【００７４】
まず、ステップ１００で、ＵＩ操作部１４で出力形態として”デジタルカメラプリント”を選択する。そして、ステップ１０４へ進み、ユーザは該当する記録メディア２１をメディアドライブ２０の所定のスロット又はディスクトレイに装填する。
【００７５】
メディアドライブ２０に記録メディア２１が装填されると、次のステップ１３０で、ソレノイド６８に通電して可動鉄心７０が突出し、プリント取出口５２のカバー５８がロックされる。これにより、ユーザは、プリント取出口５２内にアクセス不可能となる。
【００７６】
以下、第１の実施形態と同様の動作が行われる。
【００７７】
このように、記録メディア２１をメディアドライブ２０に装填したタイミングで、プリント取出口５２のカバー５８をロックすることで、プリントモード（出力形態として”デジタルカメラプリント”）を選択した時点でプリントを中止したときに、カバー５８はロックされていない。このため、第１の実施形態のプリントモードを選択したタイミングでカバー５８をロックする場合と比較して、必要以上にカバー５８のロックが動作しない。
【００７８】
次に、本発明の第３の実施形態に係るデジタルプリント装置について説明する。なお、第１の実施形態と同様の部分についての説明は割愛する。
【００７９】
図７には、第３の実施形態のデジタルプリント装置の動作のフローチャートが示されている。
【００８０】
まず、ステップ１００で、ＵＩ操作部１４で出力形態として”デジタルカメラプリント”を選択し、ステップ１０４へ進む。ステップ１０４で、ユーザは該当する記録メディア２１をメディアドライブ２０の所定のスロット又はディスクトレイに装填し、ステップ１０６で、ＵＩ操作部１４に表示されたプリントスタートボタンをＯＮして、プリント操作を開始する。
【００８１】
そして、次のステップ１３２で、ソレノイド６８に通電して可動鉄心７０が突出し、プリント取出口５２のカバー５８がロックされる。これにより、ユーザは、プリント取出口５２内にアクセス不可能となる。
【００８２】
以下、第１の実施形態と同様の動作が行われる。
【００８３】
このように、ＵＩ操作部１４に表示されたプリントスタートボタンをＯＮしたタイミングで、プリント取出口５２のカバー５８をロックすることで、記録メディア２１をメディアドライブ２０に装填した時点でプリントを中止したときに、カバー５８はロックされていない。このため、第２の実施形態の記録メディア２１をメディアドライブ２０に装填したタイミングでカバー５８をロックする場合と比較して、必要以上にカバー５８のロックが動作しない。
【００８４】
次に、本発明の第４の実施形態に係るデジタルプリント装置について説明する。なお、第１の実施形態と同様の部分についての説明は割愛する。
【００８５】
図８には、第４の実施形態のデジタルプリント装置の動作のフローチャートが示されている。
【００８６】
まず、ステップ１００で、ＵＩ操作部１４で出力形態として”デジタルカメラプリント”を選択する。次に、ステップ１０４で、ユーザは該当する記録メディア２１をメディアドライブ２０の所定のスロット又はディスクトレイに装填し、ステップ１０６で、ＵＩ操作部１４に表示されたプリントスタートボタンをＯＮして、プリント操作を開始する。そして、ステップ１０８で記録メディア２１に記録されているメディアデータが、メディアドライブ２０によって読み込まれる。
【００８７】
そして、次のステップ１３４で、ソレノイド６８に通電して可動鉄心７０が突出し、プリント取出口５２のカバー５８がロックされる。これにより、ユーザは、プリント取出口５２内にアクセス不可能となる。
【００８８】
以下、第１の実施形態と同様の動作が行われる。
【００８９】
このように、記録メディア２１のメディアデータにアクセスしたタイミングで、プリント取出口５２のカバー５８をロックすることで、プリントスタートボタンをＯＮした時点でプリントを中止したときに、カバー５８はロックされていない。このため、第３の実施形態のプリントスタートボタンをＯＮしたタイミングでカバー５８をロックする場合と比較して、必要以上にカバー５８のロックが動作しない。
【００９０】
次に、本発明の第５の実施形態に係るデジタルプリント装置について説明する。なお、第１の実施形態と同様の部分についての説明は割愛する。
【００９１】
図９には、第５の実施形態のデジタルプリント装置の動作のフローチャートが示されている。
【００９２】
まず、ステップ１００で、ＵＩ操作部１４で出力形態として”デジタルカメラプリント”を選択する。次に、ステップ１０４で、ユーザは該当する記録メディア２１をメディアドライブ２０の所定のスロット又はディスクトレイに装填し、ステップ１０６で、ＵＩ操作部１４に表示されたプリントスタートボタンをＯＮして、プリント操作を開始する。そして、ステップ１０８で記録メディア２１に記録されているメディアデータが、メディアドライブ２０によって読み込まれる。
【００９３】
次のステップ１１０では、メディアドライブ２０によって記録メディア２１のメディアデータの読み込みが終了したか否かが判断される。メディアデータの読み込みが終了していない場合には、ステップ１０８へ戻り、メディアデータの読み込みが終了していれば、ステップ１１２に進む。
【００９４】
ステップ１１２で、ＵＩ操作部１４に表示された画像データの中から、プリントしたい画像データを選択する。そして、次のステップ１１４では、プリントする画像データが選択されたか否かが判断される。画像データが選択されていない場合には、ステップ１１２に戻る。一方、画像データが選択されていれば、ステップ１１６に進む。
【００９５】
ステップ１１６では、ユーザがＵＩ操作部１４で、編集形態やプリント部数等を指示する。そして、ステップ１１８でプリントが開始される。
【００９６】
そして、次のステップ１３６で、ソレノイド６８に通電して可動鉄心７０が突出し、プリント取出口５２のカバー５８がロックされる。これにより、ユーザは、プリント取出口５２内にアクセス不可能となる。
【００９７】
以下、第１の実施形態と同様の動作が行われる。
【００９８】
このように、記録メディア２１から読み取った画像データのプリントが開始されるタイミングで、プリント取出口５２のカバー５８をロックすることで、記録メディア２１のメディアデータにアクセスした時点でプリントを中止したときに、カバー５８はロックされていない。このため、第３の実施形態の記録メディア２１のメディアデータにアクセスしたタイミングでカバー５８をロックする場合と比較して、必要以上にカバー５８のロックが動作しない。
【００９９】
なお、本実施形態では、プリントが開始されるタイミングでカバー５８をロックする構成としたが、プリントが開始されてから、最初のプリントＰがプリント取出口５２に排出されたのを用紙検出センサ８０で検知したタイミングで、カバー５８をロックする構成としてもよい。これにより、プリントが開始される時点でプリントを中止したときに、カバー５８がロックされていないため、プリントが開始されるタイミングでカバー５８をロックする場合と比較して、必要以上にカバー５８のロックが動作しない。
【０１００】
また、最初のプリントＰがプリント取出口５２に排出されて、底面５２Ｂに載置されたのをセンサ７４で検知したタイミングで、カバー５８をロックする構成としてもよい。これにより、最初のプリントＰがプリント取出口５２に排出された（１枚目のプリントＰが底面５２に到達していない時点）タイミングでカバー５８をロックする場合と比較して、必要以上にカバー５８のロックが動作しない。
【図面の簡単な説明】
【０１０１】
【図１】本発明の第１の実施形態に係るデジタルプリント装置の外観図である。
【図２】本発明の第１の実施形態に係るデジタルプリント装置のメディアドライブの外観図である。
【図３】本発明の第１の実施形態に係るデジタルプリント装置のブロック図である。
【図４】本発明の第１の実施形態に係るデジタルプリント装置のプリント取出口の側面断面図である。
【図５】本発明の第１の実施形態に係るデジタルプリント装置の動作を示すフローチャートである。
【図６】本発明の第２の実施形態に係るデジタルプリント装置の動作を示すフローチャートである。
【図７】本発明の第３の実施形態に係るデジタルプリント装置の動作を示すフローチャートである。
【図８】本発明の第４の実施形態に係るデジタルプリント装置の動作を示すフローチャートである。
【図９】本発明の第５の実施形態に係るデジタルプリント装置の動作を示すフローチャートである。
【符号の説明】
【０１０２】
１０  デジタルプリント装置
２０  メディアドライブ（装填部）
２１  記録メディア（記録媒体）
２３  記録メディア検出センサ（記録媒体検出手段）
５２  プリント取出口（排出部）
５８  カバー（取出阻止手段、開閉部材）
６８  ソレノイド（取出阻止手段、ロック手段）
７２  プリント取出口制御部（制御手段）
７４  センサ（第２検知手段）
７６  スピーカー（警告手段）
８０  用紙検出センサ（第１検知手段）
【図１】
2007083504.tif 000003
【図２】
2007083504.tif 000004
【図３】
2007083504.tif 000005
【図４】
2007083504.tif 000006
【図５】
2007083504.tif 000007
【図６】
2007083504.tif 000008
【図７】
2007083504.tif 000009
【図８】
2007083504.tif 000010
【図９】
2007083504.tif 000011